(57)【要約】      （修正有）【課題】照明機能を備え、便利に使用可能な照明傘を提供する。【解決手段】照明傘は、傘本体と照明装置とを備える。傘本体は、中棒１１と、中棒１１上端に固定する上ろくろ１２と、中棒１１に可動可能に取り付けられる下ろくろ１３と、中棒１１下端に固定されるハンドルと、上ろくろ１２と下ろくろ１３にヒンジ接続する親骨とを含む。照明装置は、中棒１１に取り付けられる照明体と、照明体の作動、非作動をコントロールするメインスイッチ２２と、照明体に給電するのに用いられる電池２３とを含む。照明装置の照明体は傘本体の中棒１１に取り付けられる。傘本体の下ろくろ１３が可動状態で押圧する照明装置のメインスイッチ２２によって、照明体の作動、非作動はコントロールされる。光不足の環境において傘を差したまま周囲の環境や物品を見ることが可能になり、利便性が向上する。【選択図】図５
0003234381.tif 000002
【実用新案登録請求の範囲】
【請求項１】
傘本体と、照明装置とを備える照明傘であって、
前記傘本体は、中棒と、前記中棒の上端に固定される上ろくろと、前記中棒に可動可能に取り付けられる下ろくろと、前記中棒の下端に固定されるハンドルと、前記上ろくろと前記下ろくろとにヒンジ接続する親骨とを含み、
前記照明装置は、前記中棒に取り付けられる照明体と、前記照明体の作動、非作動をコントロールするメインスイッチと、前記照明体に給電するのに用いられる電池とを含むことを特徴とする照明傘。
【請求項２】
前記照明体は、灯座と、前記灯座上に取り付けられる照明灯とを備え、
前記灯座は、前記中棒上に取り付けられ、
前記メインスイッチは、前記照明体の前記照明灯の作動、非作動をコントロールし、
前記電池は、前記照明体の前記照明灯への給電に用いられることを特徴とする請求項１に記載の照明傘。
【請求項３】
前記照明体の前記灯座は前記中棒上に固定され、しかも前記灯座は、前記上ろくろと前記下ろくろとの間に配置されることを特徴とする請求項２に記載の照明傘。
【請求項４】
前記灯座は下端に弾性緩衝体が取り付けられることを特徴とする請求項３に記載の照明傘。
【請求項５】
前記灯座には、前記灯座が灯帯を纏うように前記灯帯が設置され、前記灯帯には複数の前記照明灯が設置されることを特徴とする請求項２から４のいずれか一項に記載の照明傘。
【請求項６】
前記メインスイッチは、前記傘本体に取り付けられ、使用者が前記傘本体の前記下ろくろの前記メインスイッチを可動状態で押圧することにより、前記メインスイッチの導電、非導電をコントロールし、
前記メインスイッチは、タッチスイッチタイプであり、前記メインスイッチの導電、非導電により、前記照明体の作動、非作動がコントロールされることを特徴とする請求項１又は２に記載の照明傘。
【請求項７】
前記照明装置はさらに制御器を備え、前記制御器は、前記照明体と前記メインスイッチとに電気的に接続し、前記電池は前記制御器に給電し、前記制御器の前記メインスイッチの導電、非導電により、前記照明体の作動、非作動がコントロールされることを特徴とする請求項６に記載の照明傘。
【請求項８】
前記照明装置はさらに第二スイッチを備え、前記第二スイッチは前記制御器に電気的に接続し、
前記制御器の前記第二スイッチの導電、非導電により、前記照明体の作動、非作動がコントロールされることを特徴とする請求項７に記載の照明傘。
【請求項９】
前記第二スイッチは前記傘本体の前記ハンドルに取り付けられることを特徴とする請求項８に記載の照明傘。
【考案の詳細な説明】
【技術分野】
【０００１】
本考案は、傘に関し、特に照明傘に関する。
【背景技術】
【０００２】
従来の傘機能は単一で、照明機能を具えたものはない。従って、光が不足している環境において従来技術の傘を使用する場合は、さらに懐中電灯を持って照明とする必要がある。同時に傘と懐中電灯の両方を持って出かけるのは非常に不便であり、両手が拘束され、他の物品を持つことや外出時の安全にも影響を与えることになる。
【考案の概要】
【考案が解決しようとする課題】
【０００３】
本考案の目的は、照明機能を備え、便利に使用可能な照明傘を提供することにある。
【課題を解決するための手段】
【０００４】
本考案の照明傘は、傘本体と照明装置とを備える。傘本体は、中棒と、中棒上端に固定する上ろくろと、中棒に可動可能に取り付けられる下ろくろと、中棒下端に固定されるハンドルと、上ろくろと下ろくろとにヒンジ接続する親骨とを含む。照明装置は、中棒に取り付けられる照明体と、照明体の作動、非作動をコントロールするメインスイッチと、照明体に給電するのに用いられる電池とを含む。
【０００５】
照明体は、灯座と、灯座上に取り付けられる照明灯とを備える。灯座は、中棒上に取り付けられる。メインスイッチは、照明体の前記照明灯の作動、非作動をコントロールする。電池は、照明体の照明灯への給電に用いられる。
【０００６】
照明体の灯座は中棒上に固定され、しかも灯座は、上ろくろと下ろくろの間に配置される。
【０００７】
灯座は下端に弾性緩衝体が取り付けられる。
【０００８】
灯座には、灯座が灯帯を纏うように灯帯が設置され、灯帯には複数の照明灯が設置される。
【０００９】
メインスイッチは、傘本体に取り付けられ、使用者が傘本体の下ろくろのメインスイッチを可動状態で押圧することにより、メインスイッチの導電、非導電をコントロールする。メインスイッチは、タッチスイッチタイプであり、メインスイッチの導電、非導電により、照明体の作動、非作動がコントロールされる。
【００１０】
照明装置はさらに制御器を備える。制御器は、照明体とメインスイッチとに電気的に接続し、電池は制御器に給電し、制御器のメインスイッチの導電、非導電により、照明体の作動、非作動がコントロールされる。
【００１１】
照明装置はさらに第二スイッチを備える。第二スイッチは制御器に電気的に接続し、制御器の第二スイッチの導電、非導電により、照明体の作動、非作動がコントロールされる。
【００１２】
第二スイッチは傘本体のハンドルに取り付けられる。
【００１３】
（考案の効果）
前述の本考案には下記のような長所がある。
１）本考案は、照明装置の配置により照明機能を提供し、光不足の環境における使用において利便性を向上させる。
２）本考案は、照明装置のメインスイッチを可動状態で押圧する下ろくろによってメインスイッチの導電、非導電をコントロールし、メインスイッチの導電、非導電によって照明装置の照明体の作動、非作動をコントロールする。これにより、傘を開いた時には照明体を自動的に点灯させ、傘を閉じた時には照明体を自動的に消灯させることができ、使用において便利である。
３）本考案の照明傘は、照明体が中棒に取り付けられる構造を有し、開いた時に照明体が親骨下方の空間を照らすことにより、光不足の環境において傘をさしながら物品を見るときの利便性を向上させる。
【図面の簡単な説明】
【００１４】
【図１】本考案の実施形態による照明傘を開いた状態の構造を示す正面図である。
【図２】本考案の実施形態による照明傘を閉じた状態の構造を示す正面図である。
【図３】本考案の実施形態による照明傘を開いた状態の主要部分の側面断面図である。
【図４】図３のＡ箇所の拡大図である。
【図５】本考案の実施形態による照明傘を閉じた状態の主要部分の側面断面図である。
【図６】図５のＢ箇所の拡大図である。
【図７】本考案の実施形態による照明装置の構造を示す正面図である。
【図８】本考案の実施形態によるメインスイッチの分解斜視図である。
【図９】本考案の実施形態によるメインスイッチの正面断面図である。
【図１０】本考案の実施形態による第二スイッチとボタンを取り付けるときの状態を示す平面図である。
【図１１】本考案の実施形態による制御回路板の電気回路図である。
【考案を実施するための形態】
【００１５】
以下、本考案の実施形態を図面に基づいて説明する。
【００１６】
図１から図１１に示す通り、本考案の実施形態による照明傘は、傘本体１と照明装置２を含む。
【００１７】
傘本体１は、中棒１１、中棒１１の上端に固定された上ろくろ１２、中棒１１に可動可能に取り付けられた下ろくろ１３、中棒１１の下端に固定されたハンドル１４、及び上ろくろ１２と下ろくろ１３とにヒンジ接続した親骨１５を含み、親骨１５は傘面を支えるのに用いられる。
【００１８】
図１から図１１に示す通り、本考案の実施形態において、照明傘はさらに照明装置２を含む。照明装置２が照明機能を提供することで、光不足という環境の中での使用が可能となる。図１から図９に示す通り、照明装置２は、照明体２１と、照明体２１の作動、非作動を制御するメインスイッチ２２と、照明体２１に電気供給を行うのに用いられる電池２３とを含む。照明体２１は、中棒１１に取り付けられ、本考案の実施形態による照明傘を開くと、照明体２１は親骨１５下方の空間を明るく照らし、光不足の環境の中で傘を差しながら物を見る時の利便性を向上させる。
【００１９】
本実施形態において、照明装置２のメインスイッチ２２は傘本体１に取り付けられる。メインスイッチ２２を傘本体１に取り付ける方式は、直接方式でも間接方式でもよい。傘本体１の下ろくろ１３は、可動状態でメインスイッチ２２を押してメインスイッチ２２の導電、非導電をコントロールする。メインスイッチ２２はタッチスイッチタイプであり、メインスイッチ２２の導電、非導電によって照明体２１の作動、非作動をコントロールする。本考案の実施形態は、傘を開いた時にメインスイッチ２２によって照明体２１が自動的に点灯するようコントロールされ、傘を閉じた時にはメインスイッチ２２によって照明体２１が自動的に消灯するようコントロールされるため、使用において利便性を向上させるものである。
【００２０】
本実施形態において、照明装置２はさらに制御器２４を含む。制御器２４は、照明体２１とメインスイッチ２２とに電気的に接続し、制御器２４は電池２３によって給電される。制御器２４は、メインスイッチ２２の導電、非導電に基づいて、照明体２１の作動、非作動をコントロールする。メインスイッチ２２は、制御器２４を通じて照明体２１に対するコントロールを行う。制御器２４は傘本体１のハンドル１４に取り付け可能である。特に説明すべきことは、本実施形態のメインスイッチ２２もまた、電池２３による照明体２１への給電をコントロールすることで、照明体２１の作動、非作動をコントロールできるという点である。
【００２１】
本実施形態において、メインスイッチ２２は、取付座２２１と、取付蓋２２２と、可動ピン２２３と、静止ピン２２４と、導電弾片２２５と、プッシュ部品２２６とを備える。
【００２２】
取付座２２１は傘本体１に取り付けられることで、メインスイッチ２２を傘本体１に取り付け可能にする。取付座２２１の側面には取付溝２２１１が形成される。
【００２３】
取付蓋２２２は取付座２２１上に取り付けられ、並びに取付溝２２１１の側面の開口に被せられる。
【００２４】
プッシュ部品２２６は回動状態で取付座２２１の取付溝２２１１上に設置される。また、プッシュ部品２２６上には嵌合溝２２６１が形成され、プッシュ部品２２６の側面には取付蓋２２２に可動状態で貫入させる押圧部２２６２が設けられ、押圧部２２６２の外側には押圧斜面２２６３が設けられる。
【００２５】
可動ピン２２３と静止ピン２２４は、導線によって制御器２４に電気的接続をするのに用いられ、可動ピン２２３と静止ピン２２４との導電、非導電は、すなわちメインスイッチ２２の導電、非導電である。可動ピン２２３と静止ピン２２４が取付座２２１上に取り付けられ、可動ピン２２３上には、取付溝２２１１の内端面上に位置する可動接点２２３１が設けられ、静止ピン２２４上には、取付溝２２１１内端面上に位置する静止接点２２４１が設けられる。
【００２６】
導電弾片２２５は、一体成形の第一弾片２２５１と、第二弾片２２５２と、第三弾片２２５３とを含む。そのうち、第一弾片２２５１の第一端は、第二弾片２２５２の第一端と連結させられ、第一弾片２２５１の第二端と第二弾片２２５２の第二端とは分離させられる。第二弾片２２５２の第二端には静止導電部２２５４が設けられ、第二弾片２２５２の中程には開孔２２５６が形成される。第三弾片２２５３の第一端は、第二弾片２２５２の開孔２２５６の第一弾片２２５１に近い第一端の側壁に連結させられ、第三弾片２２５３の第二端には可動導電部２２５５が設けられる。第一弾片２２５１の第一端と第二弾片２２５２の第一端は、プッシュ部品２６１の嵌合溝２６１１内に嵌合する。プッシュ部品２６１の嵌合溝２６１１で、取付溝２２１１の内端面から離れている内側壁箇所は、第一弾片２２５１に接触する。プッシュ部品２６１の嵌合溝２６１１で、取付溝２２１１の内端面に近い内側壁箇所は、第二弾片２２５２と第三弾片２２５３に接触する。第二弾片２２５２の静止導電部２２５４と静止接点２２４１とは接触を保持し、第三弾片２２５３の可動導電部２２５５は、可動接点２２３１に可動状態で接触する。
【００２７】
下ろくろ１３がプッシュ部品２２６の押圧斜面２２６３を可動状態で押圧すると、プッシュ部品２２６は回動する。下ろくろ１３がプッシュ部品２２６の押圧斜面２２６３を押圧すると、プッシュ部品２２６は正方向に回動し、プッシュ部品２２６の働きを受けた第一弾片２２５１が取付溝２２１１の内端面方向に変形する。第一弾片２２５１が取付溝２２１１の内端面方向に変形すると、その働きを受けた第三弾片２２５３もまた、取付溝２２１１の内端面方向に変形し、さらに第三弾片２２５３の可動導電部２２５５が可動接点２２３１に接触する。その働きを受けた可動ピン２２３と静止ピン２２４は、導電弾片２２５によって電気的に導電され、それを受けてメインスイッチ２２が導電する。下ろくろ１３の、プッシュ部品２２６の押圧斜面２２６３に対する押圧が解除されると、第一弾片２２５１と第三弾片２２５３とは元の位置に戻り、この働きを受けた第三弾片２２５３の可動導電部２２５５は可動接点２２３１を離脱し、並びに、プッシュ部品２２６は反対方向に回動して元の位置に戻る。この時、可動ピン２２３と静止ピン２２４の電気的導電が解除されて、メインスイッチ２２も非導電状態となる。
【００２８】
図３から図６に示す通り、メインスイッチ２２は傘本体１のハンドル１４に取り付けられてもよい。本考案の実施形態による照明傘が開いた状態にある時は、下ろくろ１３がメインスイッチ２２の押圧を解除してメインスイッチ２２が切れた状態となる。この時、制御器２４によってコントロールされた照明体２１がつき、傘を開いた時に照明体２１が自動的に点灯する状態を実現する。また、本考案の実施形態による照明傘が閉じた状態にある時は、下ろくろ１３によって押圧されたメインスイッチ２２が導電状態となり、この時、制御器２４によってコントロールされた照明体２１は消え、傘を閉じた時に照明体２１が自動的に消灯する状態を実現する。
【００２９】
特に説明すべきことは、メインスイッチ２２は、傘本体１の中棒１１上部に取り付けられて、下ろくろ１３の上方に位置させることも可能であるということである。この場合、本考案の実施形態による照明傘が開いた状態にある時は、下ろくろ１３がメインスイッチ２２を押圧して、メインスイッチ２２が導電状態となる。この時、制御器２４によってコントロールされる照明体２１が点灯し、傘を開いた時に照明体２１が自動的に明るくなる状態が実現される。また、本考案の実施形態による照明傘が閉じた状態にある時は、下ろくろ１３がメインスイッチ２２に対する押圧を解除し、メインスイッチ２２が切られた状態となる。この時、制御器２４によってコントロールされる照明体２１が消灯し、傘を閉じた時に照明体２１が自動的に消える状態が実現される。
【００３０】
本考案の実施形態における照明装置２はさらに、制御器２４に電気的接続をする第二スイッチ２５を備える。制御器２４は、第二スイッチ２５の導電、非導電により照明体２１の作動、非作動をコントロールする。前記の本考案の実施形態である照明傘を開いた場合、使用者は第二スイッチ２５の導電、非導電をコントロールすることで、制御器２４による照明体２１の作動、非作動をコントロールし、光環境が良好である時に傘を開いた場合、照明体２１の動作をオフにして、電気エネルギーの損失を減らすことができる。
【００３１】
第二スイッチ２５は傘本体１のハンドル１４に取り付けられることで、使用者が第二スイッチ２５に対して行う操作を便利にする。また、ハンドル１４には、下ろくろ１３を緊密に結合するためのボタン１４１を設けることも可能であり、ボタン１４１により本考案の実施形態における照明傘を閉じる時に、その状態を安定維持させることができる。
【００３２】
また、第二スイッチ２５のタイプをタッチスイッチとすることも可能であり、この場合、第二スイッチ２５を押圧するたびに、制御器２４によってコントロールされる照明体２１の作動、非作動状態を一回切り替える。第二スイッチ２５はハンドル１４内に取り付けることが可能であり、ボタン１４１が第二スイッチ２５の押圧部を可動状態で押圧することで、第二スイッチ２５のオンとオフをコントロールする。ボタン１４１の移動方向は、第二スイッチ２５の押圧部の移動方向と垂直とすることが可能であり、ボタン１４１上にはタッチスイッチの押圧部を可動状態で押圧する斜面１４１１が設けられ、ボタン１４１を押圧する時、斜面１４１１は第二スイッチ２５の押圧部に接触して第二スイッチ２５の押圧部に対して力を加えて押圧する。本考案の実施形態は、ボタン１４１を用いて第二スイッチ２５を押圧するもので、第二スイッチ２５がハンドル１４の中に隠れるため、さらに美しい外観をそなえたものとなる。
【００３３】
本考案の実施形態による照明体２１は、灯座２１１と、灯座２１１上に取り付ける照明灯２１２とを備える。灯座２１１は中棒１１上に取り付けられ、これにより照明体２１を中棒１１に取り付ける。照明体２１の作動、非作動とは、すなわち照明灯２１２の作動、非作動のことである。メインスイッチ２２は、照明体２１の照明灯２１２の作動、非作動をコントロールし、電池２３は照明体２１の照明灯２１２に給電するのに用いられる。灯座２１１は中棒１１に固定され、灯座２１１は上ろくろ１２と下ろくろ１３の間に位置する。よって、灯座２１１は下ろくろ１３の移動を妨げることがなく、灯座２１１は上ろくろ１２とは別々の個体として設置されるか、一体成形として設置される。灯座２１１の下端には弾性緩衝体２１１２を取り付けることも可能であり、その場合、弾性緩衝体２１１２によって傘を開いた時に灯座２１１が受ける衝撃を減らし、さらに照明灯２１２の損傷を防ぐとともに傘を開く時のノイズを抑えることができる。説明すべきことは、灯座２１１もまた直接、その全体に、ゴム等の弾性材質を採用して製作することも可能ということである。これにより、傘を開いた時にもまた照明灯２１２の損傷を防ぎ、同時に傘を開いた時のノイズを抑えることができる。
【００３４】
本考案の実施形態による照明体２１の灯座２１１上には灯帯２１３が、灯座２１１が灯帯２１３を纏うように灯帯２１３が設置される。灯帯２１３上には複数の照明灯２１２を設けることにより、照明体２１の照明区域を広げることができる。灯座２１１の外面には螺紋溝２１１１を形成することも可能である。この場合、灯帯２１３は螺紋溝２１１１内に取り付けられ、灯帯２１３は灯座２１１上に設置され、灯帯２１３は灯座２１１に粘着されるか、ねじで螺着される。
【００３５】
本考案の実施形態による制御器２４は、制御回路板２６上に設置することも可能であり、その制御回路板２６は傘本体１のハンドル１４の中に取り付けることも可能である。
【００３６】
制御回路板２６上にはスイッチ制御回路２６１が設けられ、使用者は制御器２４のスイッチ制御回路２６１によって照明体２１の照明灯２１２の作動、非作動をコントロールする。また、メインスイッチ２２と、第二スイッチ２５と、照明体２１の照明灯２１２とを制御回路板２６に接続させることで、メインスイッチ２２と、第二スイッチ２５と、照明体２１の照明灯２１２との制御器２４への電気的接続を実現する。
【００３７】
図１１に示す通り、制御回路板２６にはさらに、正電源端ＶＢＡＴ＋、負電源端ＶＢＡＴ−、第一メインスイッチ接線端Ｓ１、第二メインスイッチ接線端Ｓ２、第一第二スイッチ接線端Ｋ１、第二第二スイッチ接線端Ｋ２、正接線端ＬＥＤ＋、及び負接線端ＬＥＤ−を設けることも可能である。そのうち、正電源端ＶＢＡＴ＋と、負電源端ＶＢＡＴ−とは、電池２３の正極負極それぞれに電気的に接続し、電池２３の電源に接続させるのに用いられる。第一メインスイッチ接線端Ｓ１と、第二メインスイッチ接線端Ｓ２とは、メインスイッチ２２の二つの接点のそれぞれに電気的に接続するのに用いられる。第一第二スイッチ接線端Ｋ１と、第二第二スイッチ接線端Ｋ２とは、第二スイッチ２５の二つの接点のそれぞれに電気的に接続するのに用いられる。正接線端ＬＥＤ＋と、負接線端ＬＥＤ−とは、照明体２１の照明灯２１２の正極負極それぞれに電気的に接続するのに用いられる。負電源端ＶＢＡＴ−は、第二メインスイッチ接線端Ｓ２と、第二第二スイッチ接線端Ｋ２と、負接線端ＬＥＤ−とに電気的に接続する。第一第二スイッチ接線端Ｋ１は、第四電気抵抗Ｒ４を通して、正電源端ＶＢＡＴ＋と電気的に接続する。
【００３８】
制御器２４の電源端と接地端とをそれぞれ、正電源端ＶＢＡＴ＋と、負電源端ＶＢＡＴ−とに電気的に接続させることにより、電池２３の電源に接続する。制御器２４の二つの入力端を第一メインスイッチ接線端Ｓ１と、第一第二スイッチ接線端Ｋ１とにそれぞれ電気的に接続させると、制御器２４はメインスイッチ２２と第二スイッチ２５とに接続し、信号が発生する。また、制御器２４はスイッチ制御回路２６１を通して、正接線端ＬＥＤ＋に電気的に接続する。スイッチ制御回路２６１は、第一電気抵抗Ｒ１と、第二電気抵抗Ｒ２と、第三電気抵抗Ｒ３と、三極管Ｑ１と、ＭＯＳ管Ｍ１とを備える。そのうち、第一電気抵抗Ｒ１の一端は、制御器２４の出力端に電気的に接続し、第一電気抵抗Ｒ１の別の一端は、三極管Ｑ１のベース電極に電気的に接続し、三極管Ｑ１のエミッタ電極は、負電源端に電気的に接続し、三極管Ｑ１の集電極は、第二電気抵抗Ｒ２の一端に電気的に接続し、第二電気抵抗Ｒ２のもう一方端は、第三電気抵抗Ｒ３の一端と、ＭＯＳ管Ｍ１のグリッド電極とに電気的に接続し、第三電気抵抗Ｒ３のもう一端とＭＯＳ管Ｍ１のソース電極とを、正電源端ＶＢＡＴ＋に電気的に接続させ、ＭＯＳ管Ｍ１のドレイン電極を、正接線端ＬＥＤ＋に電気的に接続させる。
【００３９】
図１から図６に示す通り、本考案の実施形態による照明傘は折り畳み傘とすることも可能である。そのうち、傘本体１の中棒１１は、相互に嵌着する少なくとも二つの管体１１１を含み、これによって中棒１１を伸縮させることができる。上ろくろ１２は中棒１１の最上方の管体１１１の上端に固定され、灯座２１１は中棒１１の最上方の管体１１１に固定され、中棒１１の最上方の管体１１１には、下ろくろ１３を密着結合させるのに用いる結合部１１１１が設けられる。これにより、照明傘を開いた状態を保持させることができる。ハンドル１４は、中棒１１の最下方の管体１１１の下端に固定される。
【００４０】
照明体２１の照明灯２１２は、中棒１１の中に貫設された連結導線２７によって制御回路板２６と繋がり、連結導線２７は伸縮式導線である。これにより、連結導線２７は中棒１１の伸縮に従って伸縮するため、確実に中棒１１を正常に伸縮させることができる。そのうち、伸縮式導線は螺旋構造を備え、伸縮を行うことができる。本考案の実施形態におけるメインスイッチ２２と第二スイッチ２５とは、いずれも傘本体１のハンドル１４の中に収めることが可能であり、メインスイッチ２２と第二スイッチ２５はそれぞれ、メインスイッチ導線２８と第二スイッチ導線２９を通して制御回路板２６に接続する。特に説明すべき点は、本考案の実施形態において、メインスイッチ２２を傘本体１の中棒１１の最上方の管体１１１に取り付ける場合、即ち、メインスイッチ２２を傘本体１の中棒１１上部に取り付けて、しかもメインスイッチ２２を下ろくろ１３の上方に位置させる場合であっても、メインスイッチ２２を連結導線２７によって制御回路板２６と接続させることが可能であるという点である。
【００４１】
また、特に説明すべきことは、本考案の実施形態における照明傘は、長傘とすることも可能という点である。長傘の照明傘はさらに、中棒１１上に可動状態で取り付けられる中ろくろと、中ろくろ１６と下ろくろ１４との間に取り付けられる傘を開くためのバネとを備える。傘を開くためのバネは中棒１１に嵌着され、中ろくろ１６と親骨１５とをヒンジ接続する。ボタン１４１をコントロールして、下ろくろ１３との結合を解除すると、傘を開くためのバネが弾かれる働きによって照明傘が自動的に開かれる。これにより、使用者は迅速に傘を開くことができる。
【００４２】
さらに、特に説明すべきことは、本考案の実施形態における照明装置２の各部品は、前述の考案に採用したような分立方式によって配設することに制限されない。すなわち、照明装置２の各部品もまた、一つの全体部品を組み立てた後に中棒１１に取り付けることが可能である。このような照明装置２の取り付け方法はより便利なものであり、しかも照明装置２の取り付け位置の選択に対してもその範囲がより広がる。例えば、照明装置２を下ろくろ１３に直接連結させることで、照明装置２を下ろくろ１３の移動に従って移動させることも可能である。
【００４３】
前述の実施形態と図面は、本考案の製品形態及び様式を限定するものではない。よって、本考案の属する技術の分野における通常の知識を有する者が実施する変更や修飾はすべて、本考案により保護される実用新案請求の範囲に含まれる。
【符号の説明】
【００４４】
１          傘本体
１１        中棒
１１１      管体
１１１１    結合部
１２        上ろくろ
１３        下ろくろ
１４        ハンドル
１４１      ボタン
１４１１    斜面
１５        親骨
２          照明装置
２１        照明体
２１１      灯座
２１１１    螺紋溝
２１１２    弾性緩衝体
２１２      照明灯
２１３      灯帯
２２        メインスイッチ
２２１      取付座
２２１１    取付溝
２２２      取付蓋
２２３      可動ピン
２２３１    可動接点
２２４      静止ピン
２２４１    静止接点
２２５      導電弾片
２２５１    第一弾片
２２５２    第二弾片
２２５３    第三弾片
２２５４    静止導電部
２２５５    可動導電部
２２５６    開孔
２２６      プッシュ部品
２２６１    嵌合溝
２２６２    押圧部
２２６３    押圧斜面
２３        電池
２４        制御器
２５        第二スイッチ
２６        制御回路板
２６１      スイッチ制御回路
Ｒ１        第一電気抵抗
Ｒ２        第二電気抵抗
Ｒ３        第三電気抵抗
Ｒ４        第四電気抵抗
Ｑ１        三極管
Ｍ１        ＭＯＳ管
ＶＢＡＴ＋  正電源端
ＶＢＡＴ−  負電源端
Ｓ１        第一メインスイッチ接線端
Ｓ２        第二メインスイッチ接線端
Ｋ１        第一第二スイッチ接線端
Ｋ２        第二第二スイッチ接線端
ＬＥＤ＋    正接線端
ＬＥＤ−    負接線端
２７        連結導線
２８        メインスイッチ導線
２９        第二スイッチ導線
【図１】
0003234381.tif 000003
【図２】
0003234381.tif 000004
【図３】
0003234381.tif 000005
【図４】
0003234381.tif 000006
【図５】
0003234381.tif 000007
【図６】
0003234381.tif 000008
【図７】
0003234381.tif 000009
【図８】
0003234381.tif 000010
【図９】
0003234381.tif 000011
【図１０】
0003234381.tif 000012
【図１１】
0003234381.tif 000013